(57)【要約】【課題】種々のデータファイルを大量に記憶する場合でも、必要なデータファイルを容易に見つけだすことが可能な移動無線端末装置を提供する。【解決手段】ソフトウェア記憶エリア１４０ａは、複数のアプリケーションソフトウェアを記憶する。対応データ形式記憶エリア１４０ｂは、各アプリケーションソフトウェアで使用可能なデータ形式の識別情報と、アプリケーションソフトウェアの識別情報を対応づけたテーブルを記憶する。データファイル記憶エリア１４０ｃは、アプリケーションソフトウェアで用いられる種々の形式のデータファイルを記憶する。制御部２００は、対応データ形式記憶エリア１４０ｂを参照して、実行中のアプリケーションソフトウェアに対応するデータ形式を検出し、このデータ形式のデータファイルをデータファイル記憶エリア１４０ｃから検出し、この検出したデータファイル名のみ一覧表示するようにしたものである。【選択図】　　図１
2004032383.tif 000002
【特許請求の範囲】
【請求項１】
移動通信網を通じた無線通信を行うもので、複数のアプリケーションソフトウェアを選択的に実行する移動無線端末装置において、
前記アプリケーションソフトウェアの識別情報と、データファイルの形式とを対応づけて記憶する対応形式記憶手段と、
複数のデータファイルを記憶するデータファイル記憶手段と、
前記対応形式記憶手段に記憶される情報を参照し、現在実行中のアプリケーションソフトウェアに対応するデータファイルの形式を検出し、前記データファイル記憶手段が記憶するデータファイルを選択する際に、前記検出した形式のデータファイルの識別情報についてのみ一覧表示するファイル表示手段とを具備することを特徴とする移動無線端末装置。
【請求項２】
複数の通信方式を選択的に用いて、移動通信網を通じた無線通信を行う移動無線端末装置において、
前記通信方式の識別情報と、データファイルの形式とを対応づけて記憶する対応形式記憶手段と、
複数のデータファイルを記憶するデータファイル記憶手段と、
前記対応形式記憶手段に記憶される情報を参照して、現在の行っている通信の通信方式に対応するデータファイルの形式を検出し、前記データファイル記憶手段が記憶するデータファイルを選択する際に、前記検出した形式のデータファイルの識別情報についてのみ一覧表示するファイル表示手段とを具備することを特徴とする移動無線端末装置。
【請求項３】
移動通信網を通じて電子メールを送受信する移動無線端末装置において、
複数のデータファイルを記憶するデータファイル記憶手段と、
このデータファイル記憶手段が記憶するデータファイルのうち、電子メールに添付可能なデータサイズのデータファイルの識別情報についてのみ一覧表示するファイル表示手段とを具備することを特徴とする移動無線端末装置。
【請求項４】
前記ファイル表示手段は、電子メールの本文のデータサイズと、前記データファイル記憶手段が記憶するデータファイルのデータサイズとに基づいて、前記データファイル記憶手段が記憶するデータファイルのうち、電子メールに添付可能なデータサイズのデータファイルを検出し、この検出したデータファイルの識別情報の一覧表示することを特徴とする請求項３に記載の移動無線端末装置。
【請求項５】
前記ファイル表示手段は、ユーザからの要求に応じて、一覧表示するデータファイルの識別情報の個数を可変することを特徴とする請求項１乃至請求項４のいずれかに記載の移動無線端末装置。
【発明の詳細な説明】
【０００１】
【発明の属する技術分野】
この発明は、例えばＰＨＳ（Ｐｅｒｓｏｎａｌ　Ｈａｎｄｙｐｈｏｎｅ　Ｓｙｓｔｅｍ）や携帯電話システムをはじめとする移動通信システムで用いられる移動無線端末装置に関する。
【０００２】
【従来の技術】
近時、ＰＨＳや携帯電話システムをはじめとする移動通信システムで用いられる移動無線端末装置は、音楽再生機能や電子メールの送受信機能、ブラウザ機能、撮像機能、動画再生機能などを備えるとともに、データ通信機能の強化により、音楽データや電子メール、静止画像および動画像の画像データなど、種々の形式のデータを取り扱うことが可能になり、またこれに伴ってメモリの記憶容量が拡充され、多種多様のデータを大量に保持することが可能になった。
【０００３】
しかしながら、上述したような取り扱うデータ形式の多様化や記憶するデータ数の増大に対して、人とのインターフェイスである表示部や入力部には大きな技術的進歩がないため、多数のデータファイルから必要なものを探すのに手間取るようになり、利便性が低下する傾向にあるという問題があった。
【０００４】
これに対して、従来は、予めデータの形式に応じて保存場所を切り替えるような階層構造を採用していた。
しかし、このような構成の場合、図５に示す表示例のように、移動無線端末装置からの入力要求（５−１）に対して、保存場所を一覧表示（５−２）する要求を与え、そして保存場所を指定し、そして指定した保存場所内に保存されるデータファイルを一覧表示し（５−３）、この一覧から所望のデータファイルを指定する（５−４）。
【０００５】
このように、予めデータの形式に応じて保存場所を切り替えるような階層構造を採用も、所望のデータにたどり着くには手間がかかり、上述の問題を解決するには至らなかった。
【０００６】
【発明が解決しようとする課題】
従来の移動無線端末装置では、取り扱うデータ形式の多様化や記憶するデータ数の増大に対して、人とのインターフェイスである表示部や入力部には大きな技術的進歩がないため、多数のデータファイルから必要なものを探すのに手間取るようになり、利便性が低下する傾向にあるという問題があった。
【０００７】
この発明は上記の問題を解決すべくなされたもので、種々のデータファイルを大量に記憶する場合でも、必要なデータファイルを容易に見つけだすことが可能な移動無線端末装置を提供することを目的とする。
【０００８】
【課題を解決するための手段】
上記の目的を達成するために、請求項１に係わる本発明は、移動通信網を通じた無線通信を行うもので、複数のアプリケーションソフトウェアを選択的に実行する移動無線端末装置において、アプリケーションソフトウェアの識別情報と、データファイルの形式とを対応づけて記憶する対応形式記憶手段と、複数のデータファイルを記憶するデータファイル記憶手段と、対応形式記憶手段に記憶される情報を参照し、現在実行中のアプリケーションソフトウェアに対応するデータファイルの形式を検出し、データファイル記憶手段が記憶するデータファイルを選択する際に、検出した形式のデータファイルの識別情報についてのみ一覧表示するファイル表示手段とを具備して構成するようにした。
【０００９】
上記構成の移動無線端末装置では、現在実行中のアプリケーションソフトウェアに対応するデータファイルの形式を検出し、データファイルを選択する際に、上記検出した形式のデータファイルの識別情報についてのみ一覧表示するようにしている。
【００１０】
したがって、上記構成の移動無線端末装置によれば、データファイル記憶手段に種々の形式のデータファイルを多数記憶する場合でも、データファイルを選択する際に、現在実行中のアプリケーションソフトウェアに対応するデータファイルの識別情報のみが表示されるので、必要なデータファイルを容易に見つけだすことができる。
【００１１】
また、請求項２に係わる本発明は、複数の通信方式を選択的に用いて、移動通信網を通じた無線通信を行う移動無線端末装置において、通信方式の識別情報と、データファイルの形式とを対応づけて記憶する対応形式記憶手段と、複数のデータファイルを記憶するデータファイル記憶手段と、対応形式記憶手段に記憶される情報を参照して、現在の行っている通信の通信方式に対応するデータファイルの形式を検出し、データファイル記憶手段が記憶するデータファイルを選択する際に、検出した形式のデータファイルの識別情報についてのみ一覧表示するファイル表示手段とを具備して構成するようにした。
【００１２】
上記構成の移動無線端末装置では、現在実行中の通信方式に対応するデータファイルの形式を検出し、データファイルを選択する際に、上記検出した形式のデータファイルの識別情報についてのみ一覧表示するようにしている。
【００１３】
したがって、上記構成の移動無線端末装置によれば、データファイル記憶手段に種々の形式のデータファイルを多数記憶する場合でも、データファイルを選択する際に、現在実行中の通信方式に対応するデータファイルの識別情報のみが表示されるので、必要なデータファイルを容易に見つけだすことができる。
【００１４】
さらに、請求項３に係わる本発明は、移動通信網を通じて電子メールを送受信する移動無線端末装置において、複数のデータファイルを記憶するデータファイル記憶手段と、このデータファイル記憶手段が記憶するデータファイルのうち、電子メールに添付可能なデータサイズのデータファイルの識別情報についてのみ一覧表示するファイル表示手段とを具備して構成するようにした。
【００１５】
上記構成の移動無線端末装置では、データファイル記憶手段が記憶するデータファイルのうち、電子メールに添付可能なデータサイズのデータファイルの識別情報についてのみ一覧表示するようにしている。
【００１６】
したがって、上記構成の移動無線端末装置によれば、データファイル記憶手段に種々のサイズのデータファイルを多数記憶する場合でも、添付するデータファイルを選択する際に、電子メールに添付可能なデータファイルの識別情報のみが表示されるので、必要なデータファイルを容易に見つけだすことができる。
【００１７】
【発明の実施の形態】
以下、図面を参照して、この発明の一実施形態について説明する。
図１は、その構成を示すもので、この図に示す移動無線端末装置は、基地局ＢＳとの間で、ＣＤＭＡ（Ｃｏｄｅ　Ｄｉｖｉｓｉｏｎ　Ｍｕｌｔｉｐｌｅ　Ａｃｃｅｓｓ）方式によって無線通信を行うものを例に挙げている。
【００１８】
基地局ＢＳから送信され、アンテナ１０１で受信された無線周波信号は、アンテナ共用器１０２に入力される。アンテナ共用器１０２は、受信用フィルタ１０２ａと送信用フィルタ１０２ｂとからなる。
【００１９】
アンテナ１０１より入力された無線周波信号のうち、基地局ＢＳから送信された無線周波信号は、受信用フィルタ１０２ａを通過して、受信部（ＲＸ）１０３に出力される。なお、この無線周波信号は送信用フィルタ１０２ｂにより、後述の送信部１０５に入力されることはない。
【００２０】
受信部１０３では、上記無線周波信号を周波数シンセサイザ（ＳＹＮ）１０４から入力された受信局部発振信号とミキシングして中間周波信号に周波数変換する。
【００２１】
なお、上記周波数シンセサイザ１０４にて発生される受信局部発振信号の周波数は、制御部２００からの制御信号によって制御される。また、受信部１０３は、制御部２００から指定される周波数の無線信号の受信電界強度を検出する機能を備える。
【００２２】
受信部１０３にて得られた中間周波信号は、ＣＤＭＡ信号処理部１０６において、直交復調処理が施されたのち、逆拡散処理が施されて、データレートに応じた所定のフォーマットの受信データに変換され、この受信データのうち、データレートを示すデータと、音声通話のための音声データ以外のデータ（電子メールのデータや、動画像データ）については制御部２００に出力され、上記音声データについては音声符号処理部１０７に出力される。
【００２３】
またＣＤＭＡ信号処理部１０６は、上記受信データから、当該移動無線端末装置宛ての着信の発生、および着信時に基地局ＢＳから通知される発信元の電話番号を検出し、これらの検出結果を制御部２００に通知する。
【００２４】
音声符号処理部１０７は、上記ＣＤＭＡ信号処理部１０６にて得られた音声データに対して、制御部２００から通知される受信データレートに応じた伸長処理を施し、この処理結果をＰＣＭ符号処理部１０８に出力する。
【００２５】
ＰＣＭ符号処理部１０８は、音声符号処理部１０７にて伸張された音声データを復号してアナログ受話信号を得る。このアナログ受話信号は、増幅器１０９にて増幅された後スピーカ１１０より拡声出力される。
【００２６】
一方、話者の入力音声は、マイクロホン（Ｍ）１１１を通じてアナログ送話信号として入力され、増幅器１１２で適正レベルまで増幅された後、ＰＣＭ符号処理部１０８にてＰＣＭ符号化処理が施され、音声データとして音声符号処理部１０７に出力される。
【００２７】
音声符号処理部１０７は、ＰＣＭ符号処理部１０８から出力される音声データより入力音声のエネルギー量を検出し、この検出結果に基づいてデータレートを決定し、制御部２００に通知する。そして、上記音声データを上記データレートに応じたフォーマットのバースト信号に圧縮し、ＣＤＭＡ信号処理部１０６に出力する。
【００２８】
ＣＤＭＡ信号処理部１０６は、上記音声符号処理部１０７にて圧縮されたバースト信号、あるいは制御部２００より入力される送信電子メールや動画像のデータに対して、送信チャネルに応じたＰＮ符号を用いて拡散処理を施す。そしてこの処理結果に対して、直交変調処理を施し、直交変調信号として送信部（ＴＸ）１０５に出力する。
【００２９】
なお、制御部２００から、例えば着信に対して応答するなどの指示があった場合には、ＣＤＭＡ信号処理部１０６は、対応する制御データを上記拡散処理結果に付加して直交変調処理を実施する。
【００３０】
送信部１０５は、上記直交変調信号を送信局部発振信号と合成して無線周波信号に変換し、制御部２００により通知される送信データレートに基づいて、上記無線周波信号の有効部分だけを高周波増幅して、アンテナ共用器１０２に出力する。なお上記送信局部発振信号は、周波数シンセサイザ１０４にて生成されるもので、制御部２００からの制御信号に応じた周波数の発振信号である。
【００３１】
アンテナ共用器１０２に入力された送信部１０５からの無線周波信号は、送信用フィルタ１０２ｂにより、送信帯域の無線周波信号のみがアンテナ１０１に出力されて、上記基地局ＢＳに向けて空間に放射される。尚、この送信帯域の無線周波信号は、受信用フィルタ１０２ａにより、受信部１０３に入力されることはない。
【００３２】
着信報知部１２０は、当該端末装置宛てに着信があった場合に、制御部２００の制御によりユーザに対して着信を報知するもので、可聴音を発して報知を行なう発音体１２１と、発光により報知を行なう発光体１２２と、例えば偏心モータなどにより振動を発生して報知を行なう振動体１２３とからなる。
【００３３】
ユーザインターフェイス部１３０は、表示部１３１およびキー入力部１３２とからなる。表示部１３１は、例えばＬＣＤ（Ｌｉｑｕｉｄ　Ｃｒｙｓｔａｌ　Ｄｉｓｐｌａｙ）やＥＬ（Ｅｌｅｃｔｒｏ　Ｌｕｍｉｎｅｓｃｅｎｃｅ）などからなりユーザに対して自機の状態（発信／着信、バッテリ残量、受信強度）や記憶部１４０から読み出したダイヤルデータ、および動画像を含む種々の画像を視覚的に示すためのものである。
【００３４】
キー入力部１３２は、ダイヤル番号入力を行なうためのテンキーなど発着信に関わる通常の通話機能を実施するためのキーの他、アラーム報知、着信報知方法（可聴音／発光／バイブレータ／報知なし）の切り換えなどの各種設定や種々の機能を利用するためのキーを備えたものである。
【００３５】
記憶部１４０は、例えばＲＯＭやＲＡＭなどの半導体メモリを記憶媒体としたもので、この記憶媒体には、種々の制御データや、例えば名前と電話番号、電子メールアドレスなどを対応づけた電話帳データなどを記憶する領域ほか、ソフトウェア記憶エリア１４０ａと、対応データ形式記憶エリア１４０ｂと、データファイル記憶エリア１４０ｃとを備える。
【００３６】
ソフトウェア記憶エリア１４０ａは、後述する制御部２００にて実行する複数のアプリケーションソフトウェアを保存する領域である。
対応データ形式記憶エリア１４０ｂは、上述した各アプリケーションソフトウェアで使用可能なデータ形式の識別情報と、アプリケーションソフトウェアの識別情報を対応づけたテーブルを記憶する領域である。
【００３７】
データファイル記憶エリア１４０ｃは、アプリケーションソフトウェアで用いられる種々の形式のデータファイル（動画像データ、静止画像データ、電子メールデータ、着信メロディファイル、楽曲データファイル、音声メモファイルなど）を記憶する領域である。
【００３８】
画像処理部１５０は、ＭＰＥＧ（Ｍｏｖｉｎｇ　Ｐｉｃｔｕｒｅ　Ｅｘｐｅｒｔｓ　Ｇｒｏｕｐ）−４／Ｈ．３２４（Ａｎｎｅｘ　Ｃ）を実現する画像処理用のＬＳＩを搭載したもので、ＭＰＥＧ−４ビデオ符号化処理、音声／オーディオ符号化処理、Ｈ．２２３多重分離処理などを行う。
【００３９】
そして、例えば制御部２００からの指示に応じて、記憶部１４０に記憶される動画データを再生出力するために、このデータを読み出して、これに所定の画像処理を施して画像データと音声データを得て、画像データをドライバ１６０に出力するとともに、音声データをＰＣＭ符号処理部１０８に出力する。
【００４０】
また、テレビ電話通信を行う場合には、通信相手から受信した動画像データが制御部２００から入力され、これに所定の画像処理を施して、ドライバ１６０に出力するとともに、カメラ１７０にて撮像した画像に所定の符号化処理を施して、制御部２００に出力する。
【００４１】
ドライバ１６０は、画像処理部１５０より入力される画像データに基づいて、表示部１３１を駆動制御して、静止画像および動画像の表示制御を行う。
【００４２】
カメラ１７０は、ＣＣＤ（Ｃｈａｒｇｅ−Ｃｏｕｐｌｅｄ　Ｄｅｖｉｃｅ）やＣＭＯＳ（Ｃｏｍｐｌｅｍｅｎｔａｒｙ　Ｍｅｔａｌ　Ｏｘｉｄｅ　Ｓｅｍｉｃｏｎｄｕｃｔｏｒ）を撮像素子として採用する電子カメラで、撮像信号は画像処理部１５０に出力される。
【００４３】
なお、画像処理部１５０からＰＣＭ符号処理部１０８に出力された音声データは、ＰＣＭ符号処理部１０８にてアナログ音声信号に変換された後、増幅器１１３で増幅され、スピーカ１１４より拡声出力される。
また、増幅器１１３の増幅のレベルは、制御部２００によって制御される。
【００４４】
制御部２００は、ＣＰＵ、ＲＯＭおよびＲＡＭなどを有してなるものであり、上記ＣＰＵが上記ＲＯＭに記憶される制御プログラムや制御データに従って、当該移動無線端末装置の各部を統括して制御するものである。
【００４５】
その主たる制御としては、受信部１０３、周波数シンセサイザ１０４、送信部１０５およびＣＤＭＡ信号処理部１０６を制御して、基地局ＢＳとの間にＣＤＭＡ方式の無線通信による通信リンクを開設し、基地局ＢＳが収容される移動通信網を通じて音声通信やテレビ電話通信、電子メールの送受信や、通信相手側でストリーミング再生が可能な動画像データ送信などのデータ通信を行なう通信制御機能を備える。
【００４６】
テレビ電話通信をはじめ、動画像を用いた通信やアプリケーションソフトウェアを実施する場合には、上述した画像処理部１５０と連携して、動画像の送受信や再生出力を行う。
【００４７】
また、制御部２００は、キー入力部１３２を通じたユーザからの要求に応じて、上記の各部を制御し、電子メールの作成・送受信を行うメールプログラムや、動画像データの再生出力を行う動画再生プログラム、着信メロディのデータ作成や設定を行うメロディ編集プログラム、音楽データファイルに基づいて楽曲再生を行う楽曲再生プログラム、会話などの録音・再生を行うボイスレコーダプログラムなど、複数のアプリケーションソフトウェアを上述の記憶部１４０から読み込んで選択的に実行することができる。
【００４８】
１８１は電源回路であり、バッテリ１８０の出力を基に所定の動作電源電圧Ｖｃｃを生成して各回路に供給する。
【００４９】
次に、上記構成の移動無線端末装置の動作について説明する。
なお、以下の説明では、アプリケーションソフトウェアを実行している際のファイル選択動作について説明し、通常の音声通信・テレビ電話やデータ通信に関わる制御や、各アプリケーションソフトウェアに基づく動作についての説明は省略する。
【００５０】
図２は、ファイル選択を行う際の処理を説明するためのフローチャートである。この処理は、制御部２００によってなされ、ソフトウェア記憶エリア１４０ａに記憶されるアプリケーションソフトウェアを起動すると、アプリケーションソフトウェアの実行中に並行して実施される。
【００５１】
まず、ステップ２ａでは、対応データ形式記憶エリア１４０ｂを参照して、起動したアプリケーションソフトウェアに対応するデータ形式を検出し、ステップ２ｂに移行する。
【００５２】
ステップ２ｂでは、上記アプリケーションソフトウェアの実行に伴い、データファイルを指定を受け付ける処理の状態になっているか否かを判定する。
ここで、上記アプリケーションソフトウェアの実行中に、データファイルを指定を受け付ける処理になっている場合には、ステップ２ｃに移行し、一方、データファイルを指定を受け付ける処理になっていない場合には、ステップ２ｂに移行する。
【００５３】
ステップ２ｃでは、データファイル記憶エリア１４０ｃからステップ２ａで検出したデータ形式のデータファイルを検出し、ステップ２ｃに移行する。
ステップ２ｄでは、ステップ２ｃにて検出したデータファイルの一覧を表示部１３１に表示する。なお、このステップにおける処理の詳細については、図３を用いて後述する。
【００５４】
ステップ２ｅでは、キー入力部１３２を通じて、ステップ２ｄに表示したデータファイルの一覧から、現在実行中のアプリケーションソフトウェアで使用するデータファイルの指定を受け付け、ステップ２ｆに移行する。
【００５５】
ステップ２ｆでは、上記アプリケーションソフトウェアが終了したか否かを判定する。
ここで、上記アプリケーションソフトウェアが終了した場合には、当該処理を終了し、一方、終了していない場合には、ステップ２ｂに移行する。
【００５６】
次に、上述したステップ２ｄの処理について詳述する。この処理は、図３に示すフローチャートにしたがって、制御部２００により実施されるものである。　まずステップ３ａでは、ステップ２ｃで検出したデータファイルのうち、現在の表示個数パラメータで示される数だけ、データファイル名を１画面に表示し、ステップ３ｂに移行する。なお、上記表示個数パラメータは、記憶部１４０の所定のエリアに記憶される。
【００５７】
ステップ３ｂでは、１画面に表示し切れていないデータファイル名が存在するか否かを判定する。
ここで、１画面に表示し切れていないデータファイル名が存在する場合には、ステップ３ｃに移行し、一方、１画面に表示し切れていないデータファイル名が存在しない（すべてのデータファイル名が１画面に表示されている）場合には、ステップ３ｅに移行する。
【００５８】
ステップ３ｃでは、キー入力部１３２を通じて、１画面に表示し切れていないデータファイル名の表示を要求するページ切り替え指示があったか否かを判定する。
ここで、ページ切り替え指示があった場合には、ステップ３ｄに移行し、一方、ページ切り替え指示がない場合には、ステップ３ｅに移行する。
【００５９】
ステップ３ｄでは、表示し切れていなかったデータファイル名を一覧表示する表示処理を実施し、ステップ３ｂに移行する。なお、ここで一覧として表示するデータファイル名の個数は、上述の表示個数パラメータに準じる。
【００６０】
ステップ３ｅでは、キー入力部１３２を通じて、１画面に表示するデータファイル名の個数を変更する要求があったか否かを判定する。
ここで、１画面に表示するデータファイルの個数を変更する要求があった場合には、ステップ３ｇに移行し、一方、上記要求がない場合には、ステップ３ｆに移行する。
【００６１】
ステップ３ｆでは、キー入力部１３２を通じて、データファイルを指定する要求が生じたか否かを判定する。
ここで、データファイルを指定する要求が生じた場合には、当該処理を終了して、ステップ２ｅに移行し、一方、上記要求がない場合には、ステップ３ｂに移行する。
【００６２】
一方、ステップ３ｇでは、キー入力部１３２を通じて、１画面に表示するデータファイル名の個数の指定を受け付け、ここで受け付けた個数を新たな表示個数パラメータとして記憶部１４０に記録する。
【００６３】
ステップ３ｈでは、ステップ２ｃで検出したデータファイルのうち、ステップ３ｇで受け付けた表示個数パラメータで示される数だけ、データファイル名を１画面に表示し、ステップ３ｂに移行する。
【００６４】
以上のように、上記構成の移動無線端末装置では、アプリケーションソフトウェアの実行に伴い、実行中のアプリケーションソフトウェアで使用可能なデータ形式のファイルを検出し、ファイルの指定を受け付ける際には、上記検出したデータファイルのみ一覧表示するようにしている。
【００６５】
このような処理により、表示部１３１の表示は、図４に示すように遷移する。
まず、アプリケーションソフトウェアの実行に伴い、画面４−１に示すように、使用するデータファイルの指定を受け付ける状態になると、これをステップ２ｂにて検出して、ステップ２ｃにて上記アプリケーションソフトウェアに対応するデータ形式のデータファイルを検出する。
【００６６】
そして、画面４−２に示すように、ステップ２ｄにてデータファイル名の一覧を表示し、キー入力部１３２を通じてファイルの指定の要求が生じると、ステップ３ｆからステップ２ｅに移行して、画面４−３に示すようにファイルに指定を受け付ける。
【００６７】
また、画面４−２を表示する状態で、１画面に表示し切れていないデータファイル名が存在し、キー入力部１３２を通じてページ切り替えの要求が与えられると、ステップ３ｄにて、１画面に表示し切れなかったデータファイル名を画面４−４に示すように表示し、さらに表示し切れていないデータファイル名が存在して要求が与えられれば、画面４−５に示すように次順のデータファイル名を一覧表示する。
【００６８】
そしてまた、キー入力部１３２を通じて、１画面に表示するデータファイル名の個数を変更する要求が生じると、これをステップ３ｅで検出し、ステップ３ｇで新たに表示個数を受け付け、ステップ３ｈにて画面４−６に示すように、受け付けた数だけデータファイル名を一覧表示する。
【００６９】
したがって、上記構成の移動無線端末装置によれば、実行中のアプリケーションソフトウェアで使用可能なデータ形式のデータファイルのみ一覧表示するので、大量にデータファイルが存在する場合でも、所望のデータファイルを迅速に見つけだして指定することができる。
【００７０】
尚、この発明は上記実施の形態に限定されるものではない。
例えば、上記実施の形態では、１画面に表示するデータファイル名の個数を変更する要求が生じると、ステップ３ｇにてその個数の指定を受け付けるようにしたが、これに代わって例えば、予め設定された個数で表示を行うように切り替えてもよい。
【００７１】
この場合、予め２つの表示個数パラメータを記憶部１４０に記憶しておき、ユーザの要求に応じてこれを選択的に用いて、表示個数を多くしたり少なくしたりする。
このような構成によれば、ステップ２ｃで検出したデータファイルの個数に応じて、ユーザが容易に表示する個数を切り替えることができる。
【００７２】
なお、表示部１３１の表示領域を有効に利用するために、一覧表示する個数が変化に応じて、できるだけ大きくデータファイル名を表示するように、その表示サイズを可変することはいうまでもない（図４の画面４−２および画面４−６を参照）。
【００７３】
さらに、上記実施の形態では、カメラ１７０は、当該移動無線端末装置に搭載するものとして説明したが、インターフェイスを備えて、ユーザが任意に着脱が可能な構成としていもよい。
【００７４】
また、動画像のストリーミングデータを通信相手と送受信することを可能とする移動無線端末装置の開発が本発明者らによって行われているが、確立した通信リンクが対応するデータ伝送速度に応じて、伝送可能な動画像データファイルのデータ形式が異なるものがある。
【００７５】
このような移動無線端末装置に本発明が適用可能であることはいうまでもなく、確立した通信リンクが対応するデータ伝送速度に応じて、伝送可能なデータ形式の動画像データファイルのみを表示することも可能である。
【００７６】
このような構成によれば、データファイル記憶エリア１４０ｃに種々の形式のデータファイルを多数記憶する場合でも、データファイルを選択する際に、現在実行中の通信方式に対応するデータファイルの識別情報のみが表示されるので、必要なデータファイルを容易に見つけだすことができる。
【００７７】
そしてまた、上記実施の形態では、実行中のアプリケーションソフトウェアに応じて、対応するデータ形式のデータファイルのみ選択が可能となるようにしたが、これに代わって例えば、データのファイルサイズについても考慮して、選択可能なデータファイル名を表示するようにしてもよい。
【００７８】
例えば、電子メールの送信にあっては、５キロバイトまでという制限がなされるシステムがあり、このようなシステムにおいて用いる場合に、５キロバイト以下のデータファイルについてのみ一覧表示するようにしたり、あるいは電子メールの本文と添付するデータファイルの大きさの合計が５キロバイト以内となるように、添付可能なデータの一覧を表示するようにしてもよい。
【００７９】
このような構成によれば、データファイル記憶エリア１４０ｃに種々のサイズのデータファイルを多数記憶する場合でも、添付するデータファイルを選択する際に、電子メールに添付可能なデータファイル名のみが表示されるので、必要なデータファイルを容易に見つけだすことができる。
その他、この発明の要旨を逸脱しない範囲で種々の変形を施しても同様に実施可能であることはいうまでもない。
【００８０】
【発明の効果】
以上述べたように、この発明では、現在実行中のアプリケーションソフトウェアに対応するデータファイルの形式を検出し、データファイルを選択する際に、上記検出した形式のデータファイルの識別情報についてのみ一覧表示するようにしている。
【００８１】
したがって、この発明によれば、データファイル記憶手段に種々の形式のデータファイルを多数記憶する場合でも、データファイルを選択する際に、現在実行中のアプリケーションソフトウェアに対応するデータファイルの識別情報のみが表示されるので、必要なデータファイルを容易に見つけだすことが可能な移動無線端末装置を提供できる。
【００８２】
また、この発明では、現在実行中の通信方式に対応するデータファイルの形式を検出し、データファイルを選択する際に、上記検出した形式のデータファイルの識別情報についてのみ一覧表示するようにしている。
【００８３】
したがって、この発明によれば、データファイル記憶手段に種々の形式のデータファイルを多数記憶する場合でも、データファイルを選択する際に、現在実行中の通信方式に対応するデータファイルの識別情報のみが表示されるので、必要なデータファイルを容易に見つけだすことが可能な移動無線端末装置を提供できる。
【００８４】
さらに、この発明では、データファイル記憶手段が記憶するデータファイルのうち、電子メールに添付可能なデータサイズのデータファイルの識別情報についてのみ一覧表示するようにしている。
【００８５】
したがって、この発明によれば、データファイル記憶手段に種々のサイズのデータファイルを多数記憶する場合でも、添付するデータファイルを選択する際に、電子メールに添付可能なデータファイルの識別情報のみが表示されるので、必要なデータファイルを容易に見つけだすことが可能な移動無線端末装置を提供できる。
【図面の簡単な説明】
【図１】この発明に係わる移動無線端末装置の一実施の形態の構成を示す回路ブロック図。
【図２】図１に示した移動無線端末装置のファイル選択を行う際の処理を説明するためのフローチャート。
【図３】図１に示した移動無線端末装置のファイル表示を行う際の処理を説明するためのフローチャート。
【図４】図２および図３に示した処理により、図１に示した移動無線端末装置の表示部に表示される情報の遷移を示す図。
【図５】従来の移動無線端末装置の表示部に表示される情報の遷移を示す図。
【符号の説明】
１０１…アンテナ
１０２…アンテナ共用器
１０２ａ…受信用フィルタ
１０２ｂ…送信用フィルタ
１０３…受信部（ＲＸ）
１０４…周波数シンセサイザ（ＳＹＮ）
１０５…送信部（ＴＸ）
１０６…ＣＤＭＡ信号処理部
１０７…音声符号処理部
１０８…ＰＣＭ符号処理部
１０９，１１２，１１３…増幅器
１１０，１１４…スピーカ
１１１…マイクロホン（Ｍ）
１２０…着信報知部
１２１…発音体
１２２…発光体
１２３…振動体
１３０…ユーザインターフェイス部
１３１…表示部
１３２…キー入力部
１４０…記憶部
１４０ａ…ソフトウェア記憶エリア
１４０ｂ…対応データ形式記憶エリア
１４０ｃ…データファイル記憶エリア
１５０…画像処理部
１６０…ドライバ
１７０…カメラ
２００…制御部
【図１】
2004032383.tif 000003
【図２】
2004032383.tif 000004
【図３】
2004032383.tif 000005
【図４】
2004032383.tif 000006
【図５】
2004032383.tif 000007